Podtech/llm-jp-corpus-v4-ja_patent huggingface dataset:
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
溶融鋳型（１）内に粒子層（１２；１４）を形成させ、かつ該粒子層（１２；１４）を石英ガラスるつぼの形成下に焼結又は溶融させることによる、単結晶引上げ用石英ガラスるつぼの製造法において、該粒子層（１２；１４）の少なくとも一部をシリカガラス顆粒から作製し、その製造が以下の方法工程：
（ａ）実質的に均一な回転楕円状のモルホロジーを有する圧縮成形体の形成下に、シリカ粉末をロールブリケッティング法を用いて機械的に圧密化する工程、及び
（ｂ）該圧縮成形体又は該圧縮成形体の破片を熱的に圧密化し、シリカガラス顆粒にする工程
を含むことを特徴とする方法。
【請求項２】
圧縮成形体が１〜５ｍｍの範囲内の平均相当径を有する、請求項１記載の方法。
【請求項３】
個々の圧縮成形体が１〜１００ｍｍ3の範囲内の平均体積を有する、請求項１又は２記載の方法。
【請求項４】
個々の圧縮成形体が０．６〜１．３ｇ／ｃｍ3の範囲内の平均密度を有する、請求項１から３までのいずれか１項記載の方法。
【請求項５】
圧縮成形体を焼結又は溶融の前に解砕する、請求項１から４までのいずれか１項記載の方法。
【請求項６】
圧縮成形体を方法工程（ｂ）による熱的な圧密化の前に解砕する、請求項５記載の方法。
【請求項７】
解砕された圧縮成形体が、０．４５ｇ／ｃｍ3を上回る範囲内の嵩密度を有するＳｉＯ2顆粒を形成する、請求項５又は６記載の方法。
【請求項８】
圧縮成形体又は該圧縮成形体の破片を、方法工程（ｂ）による熱的な圧密化の前に塩素含有雰囲気中で処理する、請求項１から７までのいずれか１項記載の方法。
【請求項９】
方法工程（ｂ）による圧縮成形体又は該圧縮成形体の破片からシリカガラス顆粒への熱的な圧密化を、ヘリウム少なくとも３０体積％を含有する雰囲気下に、及び／又は０．５バール又はそれを下回る減圧下に行う、請求項１から８までのいずれか１項記載の方法。
【請求項１０】
水素ドープされた石英ガラスからなるシリカガラス顆粒粒子を使用する、請求項１から９までのいずれか１項記載の方法。
【請求項１１】
方法工程（ｂ）により熱的に圧密化されたシリカガラス顆粒を外部粒子層として溶融鋳型の内壁上に施与し、かつ焼結して、少なくとも部分的に不透明な石英ガラスからのるつぼ内壁外部層にする、請求項１から１０までのいずれか１項記載の方法。
【請求項１２】
方法工程（ｂ）により熱的に圧密化されたシリカガラス顆粒を中間粒子層として外部粒子層上に施与し、かつ焼結して、るつぼ内壁中間層か、又は少なくとも部分的に不透明な石英ガラスからのるつぼ内壁外部層にする、請求項１から１１までのいずれか１項記載の方法。
【請求項１３】
方法工程（ｂ）により熱的に圧密化されたシリカガラス顆粒を、焼結又は溶融の際にアークに供し、この中で溶融させ、かつ石英ガラスからのるつぼ形の基体の内壁に、透明な石英ガラスからのるつぼ内壁内部層の形成下に衝突させる、請求項１から１２までのいずれか１項記載の方法。
【請求項１４】
方法工程（ｂ）により熱的に圧密化されたシリカガラス顆粒を、内部粒子層としてるつぼ形の基体の内壁上に施与し、かつ該基体上で溶融させて、透明な石英ガラスからのるつぼ内壁内部層にする、請求項１から１２までのいずれか１項記載の方法。
【請求項１５】
シリカガラス顆粒からの多孔質のるつぼ形の基体を使用し、かつ内部粒子層を減圧の適用下に焼結してるつぼ内壁内部層にする、請求項１４記載の方法。
【請求項１６】
直径が公称直径から最大で１０％の偏差を示すシリカガラス顆粒粒子を使用する、請求項１から１５までのいずれか１項記載の方法。
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
アレルゲンエキスを製造する方法であって、
ａ）アレルゲンを含む供給源材料を液体抽出剤と接触させて、液相に溶解した脂質を含む混合物ならびにアレルゲンおよびタンパク質を含む供給源材料残渣からなる固相を生成するステップと、
ｂ）前記混合物を第１の分離ステップに供して、前記供給源材料残渣を単離するステップと、
ｃ）前記供給源材料残渣をアレルゲン抽出剤と接触させて、液相に溶解したアレルゲンの混合物および非アレルギー性残渣からなる固相を生成するステップと、
ｄ）前記混合物を第２の分離ステップに供して、液層に溶解した前記アレルゲンを単離し、粗アレルゲンエキスを生成するステップと、
ｅ）前記粗アレルゲンエキスを低分子画分除去ステップに供して、３．５ｋＤａ未満の分子サイズを有する分子を除去するステップと、
ｆ）前記アレルゲンエキスが３〜５℃にて１０００μＳ／ｃｍ未満の伝導率になるまで、ステップｅ）を実行して、精製された天然アレルゲンエキスを得るステップと、
ｇ）前記天然アレルゲンエキスをｐＨ２〜３．０に酸性化して、前記酸性化したエキスを５〜３０分間維持した後、前記エキスを低分子画分除去ステップに供して、３．５ｋＤａ未満の分子サイズを有する分子を除去し、ｐＨを７．０〜８．０に調節して脱色アレルゲンエキスを生成するステップと、
ｈ）前記脱色アレルゲンエキスをグルタルアルデヒドまたはホルムアルデヒドと接触させるステップと、
ｉ）前記脱色アレルゲンエキスを分子画分除去ステップに供して、１００ｋＤａ未満の分子サイズを有する分子を除去するステップと、
ｊ）前記アレルゲンエキスが３〜５℃にて２１０μＳ／ｃｍ未満の伝導率になるまで、かつ／またはＵＶまたは可視走査により測定した場合にグルタルアルデヒドがなくなるまでステップｉ）を実行して、脱色重合アレルゲンエキスを得るステップと
を含む方法。
【請求項２】
請求項１に記載の方法において、前記伝導率が３〜５℃にて５００μＳ／ｃｍ未満になるまで、前記低分子画分除去ステップが継続されることを特徴とする方法。
【請求項３】
請求項１に記載の方法において、前記天然アレルゲンエキスが、ｐＨ２〜２．１に酸性化されることを特徴とする方法。
【請求項４】
請求項１に記載の方法において、前記天然アレルゲンエキスが、ｐＨ２．０〜４．０に酸性化されることを特徴とする方法。
【請求項５】
請求項１〜４のいずれか一項に記載の方法において、前記アルデヒドが、毎分０．００１〜０．５ｍｌの添加速度で前記エキスに加えられることを特徴とする方法。
【請求項６】
請求項１〜５のいずれか一項に記載の方法において、前記伝導率が３〜５℃にて５０〜２００μＳ／ｃｍになるまで、前記低分子画分除去ステップが継続されることを特徴とする方法。
【請求項７】
請求項１〜６のいずれか一項に記載の方法において、前記低分子画分除去ステップｅ）またはｇ）が、限外濾過ステップ、ダイアフィルトレーションステップ、透析ステップまたは濾過を含むことを特徴とする方法。
【請求項８】
請求項１〜７のいずれか一項に記載の方法により得られる脱色重合アレルゲンエキス。
【請求項９】
請求項８に記載のアレルゲンエキスにおいて、前記供給源材料が、食物アレルゲン、ピーナッツ、全ピーナッツ、空気媒介アレルゲン（例えば、花粉（樹木の花粉、雑草の花粉、草の花粉、穀草の花粉）、チリダニ、菌類、カビ）、ダニ、草、樹木および雑草のアレルゲン、上皮アレルゲン（動物の毛、動物の鱗屑、例えば、ネコの毛および鱗屑、イヌの毛および鱗屑）、ならびに昆虫アレルゲン（例えば、ゴキブリ、ノミ、ミツバチおよびスズメバチの毒）から選択されることを特徴とするアレルゲンエキス。
【請求項１０】
請求項９に記載のアレルゲンエキスにおいて、前記供給源材料が、ピーナッツ（アラキス・ヒポゲア（Ａｒａｃｈｉｓ  ｈｙｐｏｇｅａ））、花粉（オリーブ（Ｏｌｅａ  ｅｕｒｏｐａｅａ）、ヒカゲミズ（Ｐａｒｉｅｔａｒｉａ  ｊｕｄａｉｃａ）、アシ（Ｐｈｒａｇｍｉｔｅｓ  ｃｏｍｍｕｎｉｓ）およびオオアワガエリ（Ｐｈｌｅｕｍ  ｐｒａｔｅｎｓｅ））、ダニ（ヤケヒョウヒダニ（Ｄｅｒｍａｔｏｐｈａｇｏｉｄｅｓ  ｐｔｅｒｏｎｙｓｓｉｎｕｓ））、ならびに上皮（ネコの鱗屑）から選択されることを特徴とするアレルゲンエキス。
【請求項１１】
アレルギー処置のための医薬品の製造において使用する、請求項８〜１０のいずれか一項に記載のアレルゲンエキス。
【請求項１２】
ピーナッツアレルギーの処置のための医薬品の製造において使用する、請求項８〜１０のいずれか一項に記載のアレルゲンエキス。
【請求項１３】
請求項８〜１２のいずれか一項に記載のアレルゲンエキスを含む医薬組成物。
【請求項１４】
請求項１３に記載の医薬組成物がさらに、１つまたは複数のアジュバント、希釈剤、防腐剤またはそれらの混合物を含むことを特徴とする医薬組成物。
【請求項１５】
請求項８〜１２のいずれか一項に記載のアレルゲンエキスを含むワクチン剤。
【請求項１６】
請求項１５に記載のワクチン剤がさらに、１つまたは複数のアジュバント、希釈剤、防腐剤またはそれらの混合物を含むことを特徴とするワクチン剤。
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
ヒトまたは別の哺乳動物の表面感度または触覚の低下または喪失の処置のための医薬組成物であって、少なくとも１つのナトリウムチャネルブロッカー（ＳＣＢ）を含み、該ＳＣＢは、サキシトキシンもしくはその誘導体の１つ、テトロドトキシンもしくはその誘導体の１つ、または以下の式（Ｉ）：
【化１】
2013519653.tif 000001
式中、Ｒ１およびＲ５は、独立して、−Ｈおよび−ＯＨからなる群から選択され；Ｒ２およびＲ３は、独立して、−Ｈ、−ＯＳＯ３−および−ＳＯ３からなる群から選択され；ならびに、Ｒ４は、−Ｈ、−ＯＨ、−ＯＣＯＮＨ２、−ＯＣＯＮＨＳＯ３−および−ＯＣＯＣＨ３からなる群から選択される、
で表される三環式３，４−プロピノペルヒドロプリンである、前記医薬組成物。
【請求項２】
薬理学的に許容され得る担体をさらに含む、請求項１に記載の医薬組成物。
【請求項３】
Ｒ２およびＲ３のいずれかが、−ＯＳＯ３−であるか、またはＲ４が、−ＯＣＯＮＨＳＯ３−である、請求項１または２に記載の医薬組成物。
【請求項４】
三環式３，４−プロピノペルヒドロプリンが、ネオサキシトキシン、デスカルバモイルサキトキシン、またはゴニオトキシン（ＧＴＸ）である、請求項１〜３のいずれか一項に記載の医薬組成物。
【請求項５】
ＧＴＸが、ＧＴＸ−１、ＧＴＸ−２、ＧＴＸ−３、ＧＴＸ−４またはＧＴＸ−５である、請求項４に記載の医薬組成物。
【請求項６】
ＳＣＢが、そのラセミ体、純粋な立体異性体、または立体異性体の混合物の形態、中性の形態、酸もしくは塩基の形態または塩の形態、または溶媒和物の形態である、請求項１〜５のいずれか一項に記載の医薬組成物。
【請求項７】
表面感度または触覚の低下または喪失が、薬物もしくは医療処置の副作用であるか、または糖尿病、ウイルス感染、アロディニア、カウザルギー、痛覚過敏、知覚過敏、過敏、神経痛、神経炎、神経障害もしくは他の神経学的な原因によって引き起こされる、請求項１〜６のいずれか一項に記載の医薬組成物。
【請求項８】
ＳＣＢが、サキシトキシンまたはその誘導体の１つであり、該サキシトキシンまたは該誘導体は、人工的に合成されるか、または生物源から単離される、請求項１〜７のいずれか一項に記載の医薬組成物。
【請求項９】
ＳＣＢが、テトロドトキシンもしくはその誘導体の１つ、または三環式３，４−プロピノペルヒドロプリンであって、該テトロドトキシン、該誘導体、または該三環式３，４−プロピノペルヒドロプリンは、人工的に合成されるか、または生物源から単離される、請求項１〜８のいずれか一項に記載の医薬組成物。
【請求項１０】
ＳＣＢが、１日あたり０．０１〜１０００μｇのＳＣＢの投与のために適した量で医薬組成物に含有される、請求項１〜９のいずれか一項に記載の医薬組成物。
【請求項１１】
ＳＣＢが、１ｍｌあたり０．０１〜１０００μｇの濃度で含有される、請求項１〜１０のいずれか一項に記載の医薬組成物。
【請求項１２】
医薬組成物が、注射のために調製された、局所投与のために調製された、または全身投与のために調製された、請求項１〜１１のいずれか一項に記載の医薬組成物。
【請求項１３】
局所投与のために調製された医薬組成物が、皮膚パッチ、クリーム、軟膏、またはスプレーである、請求項１２に記載の医薬組成物。
【請求項１４】
少なくとも１つの鎮痛化合物をさらに含む、請求項１〜１３のいずれか一項に記載の医薬組成物。
【請求項１５】
鎮痛化合物が、リドカインもしくはその誘導体の１つ、ブピバカインもしくはその誘導体の１つ、フェンタニルもしくはその誘導体の１つ、またはアセトアミノフェンもしくはその誘導体の１つである、請求項１４に記載の医薬組成物。
【請求項１６】
請求項１〜１５のいずれか一項に記載の医薬組成物であって、ＳＣＢが、リポソームまたはマイクロエマルジョンに含有され、および／または、該医薬組成物は、皮膚を通して該ＳＣＢの輸送を促進する少なくとも１つの物質をさらに含む、前記医薬組成物。
【請求項１７】
ヒトまたは別の哺乳動物の表面感度または触覚の低下または喪失の処置用医薬を製造するためのＳＣＢの使用であって、該ＳＣＢは、サキシトキシンもしくはその誘導体の１つ、テトロドトキシンもしくはその誘導体の１つ、または以下の式（Ｉ）：
【化２】
2013519653.tif 000002
式中、Ｒ１およびＲ５は、独立して、−Ｈおよび−ＯＨからなる群から選択され；Ｒ２およびＲ３は、独立して、−Ｈ、−ＯＳＯ３−および−ＳＯ３からなる群から選択され；ならびに、Ｒ４は、−Ｈ、−ＯＨ、−ＯＣＯＮＨ２、−ＯＣＯＮＨＳＯ３−および−ＯＣＯＣＨ３からなる群から選択される、
で表される三環式３，４−プロピノペルヒドロプリンである、前記使用。
【請求項１８】
医薬を、注射として、局所投与として、または全身投与として投与する、請求項１７に記載の使用。
【請求項１９】
投与が、物理的にサポートされる、請求項１７または１８に記載の使用。
【請求項２０】
医薬を、１〜７日の間の期間にわたり、および／または複数の処置サイクルで投与する、請求項１７〜１９のいずれか一項に記載の使用。
【手続補正２】
【補正対象書類名】明細書
【補正対象項目名】０００８
【補正方法】変更
【補正の内容】
【０００８】
本発明によると、ヒトまたは別の哺乳動物の表面感度または触覚の低下または喪失の処置のためのナトリウムチャネルブロッカー（ＳＣＢ）が提供される。ＳＣＢは、サキシトキシンもしくはその誘導体の１つ、テトロドトキシンもしくはその誘導体の１つ、または下記式（Ｉ）
【化１】
2013519653.tif 000003
式中、Ｒ１およびＲ５は、独立して、−Ｈおよび−ＯＨからなる群から選択され；Ｒ２およびＲ３は、独立して、−Ｈ、−ＯＳＯ３−および−ＳＯ３からなる群から選択され；ならびに、Ｒ４は、−Ｈ、−ＯＨ、−ＯＣＯＮＨ２、−ＯＣＯＮＨＳＯ３−および−ＯＣＯＣＨ３からなる群から選択される、
で表される三環式３，４−プロピノペルヒドロプリンである。
【手続補正３】
【補正対象書類名】明細書
【補正対象項目名】００１３
【補正方法】変更
【補正の内容】
【００１３】
本発明の一態様において、Ｒ２およびＲ３のいずれかは、−ＯＳＯ３−であるか、またはＲ４は、−ＯＣＯＮＨＳＯ３−である。三環式３，４−プロピノペルヒドロプリンは、以下の表に記載の式Ｉによるサキシトキシンまたはゴニオトキシン(gonyautoxin)（以下、「ＧＴＸ」という）の誘導体の１つであってもよい。
【手続補正４】
【補正対象書類名】明細書
【補正対象項目名】００１４
【補正方法】変更
【補正の内容】
【００１４】
【表１】
2013519653.tif 000004
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
除細動デバイスの操作方法において、
患者からの１つ以上の生理的に生成される信号を分析することと、
胸部圧迫が患者に施用されている間に、１つ以上の生理的に生成される信号の分析に基づいて除細動デバイスを選択的に充電することと、
充電された除細動デバイスからの除細動ショックを提供することと
を含んでなる、方法。
【請求項２】
除細動ショックを提供する前に、分析された１つ以上の生理的に生成される信号に基づいて、傷病者の心臓に対する除細動ショックが適切な治療法であるかどうかを判定することをさらに含んでなり、除細動デバイスの選択的な充電は、傷病者の心臓に対する除細動ショックが生理的に生成される信号の分析から適切な治療法であると判定された場合に、除細動デバイスの充電のみを行うことを含んでなる、請求項１に記載の方法。
【請求項３】
除細動デバイスの選択的な充電は、１つ以上の生理的に生成される信号の分析に基づいて、除細動デバイスを充電するべきか、または除細動デバイスを充電せずに胸部圧迫を継続するようにユーザに指示するべきかを判定することを含んでなる、請求項１に記載の方法。
【請求項４】
除細動デバイスの選択的な充電は、１つ以上の生理的に生成される信号に基づいて充電速度を決定することを含んでなる、請求項１に記載の方法。
【請求項５】
除細動デバイスの選択的な充電は、現行の胸部圧迫サイクルの終了時までに残っていると判定された時間量に基づいて充電速度を決定することを含んでなる、請求項１に記載の方法。
【請求項６】
除細動デバイスの選択的な充電は、１つ以上の生理的に生成される信号に基づいて総電荷量を決定することを含んでなる、請求項１に記載の方法。
【請求項７】
１つ以上のＥＣＧ信号の分析は、振幅マグニチュードスペクトル面積（ＡＭＳＡ）の値を計算することを含んでなり、
除細動デバイスの選択的な充電は、計算されたＡＭＳＡ値に基づいて除細動デバイスを選択的に充電することを含んでなる、
請求項１に記載の方法。
【請求項８】
除細動デバイスの選択的な充電は、少なくとも約３０秒の期間にわたって除細動デバイスを充電することを含んでなる、請求項１に記載の方法。
【請求項９】
１つ以上のＥＣＧ信号の分析は、振幅マグニチュードスペクトル面積（ＡＭＳＡ）の値を計算することを含んでなり、
除細動デバイスの選択的な充電は、計算されたＡＭＳＡ値に基づいた充電速度で除細動デバイスを充電することを含んでなる、
請求項１に記載の方法。
【請求項１０】
１つ以上の生理的に生成される信号とＣＰＲ信号との間の相互相関の強さを測定することをさらに含んでなり、
除細動デバイスの選択的な充電は、測定された相互相関の強さに基づいて除細動デバイスを選択的に充電することを含んでなる、請求項１に記載の方法。
【請求項１１】
バッテリー電源は５ワット以下の連続出力を送達することができる、請求項６に記載の体外式除細動器。
【請求項１２】
心臓障害の傷病者に自動制御されたショックを提供するための体外式除細動器であって、
電気エネルギー貯蔵源と、
該電気エネルギー貯蔵源と電気的接続状態にあってヒト傷病者に除細動ショックを送達することができる暫定的電気貯蔵デバイスと、
１つ以上の生理的に生成される信号を分析するように、かつ傷病者の胸部圧迫を指示すると同時に電気エネルギー貯蔵源からの暫定的電気貯蔵デバイスの充電を実施するようにプログラムされた、コントローラと
を含んでなる体外式除細動器。
【請求項１３】
コントローラは、現行の胸部圧迫サイクルの終了よりも、暫定的電気貯蔵デバイスを完全に充電するための所要時間とほぼ一致すると判定された時間だけ前に、暫定的電気貯蔵デバイスの充電を開始するようにさらにプログラムされている、請求項１２に記載の体外式除細動器。
【請求項１４】
コントローラは、分析された１つ以上の生理的に生成される信号に基づいて、傷病者の心臓に対する除細動ショックが適切な治療法かどうかを判定するようにさらにプログラムされ、
前記コントローラは、生理的に生成される信号の分析から、傷病者の心臓に対する除細動ショックが適切な治療法であると判定された場合にのみ、暫定的電気貯蔵デバイスを選択的に充電するようにさらにプログラムされている、請求項１２に記載の体外式除細動器。
【請求項１５】
コントローラは、１つ以上の生理的に生成される信号の分析に基づいて、暫定的電気貯蔵デバイスを充電するべきか、または暫定的電気貯蔵デバイスを充電せずに胸部圧迫を継続するようにユーザに指示するべきかを判定するようにさらにプログラムされている、請求項１２に記載の体外式除細動器。
【請求項１６】
コントローラは、１つ以上の生理的に生成される信号に基づいて、暫定的電気貯蔵デバ
イスの充電のための充電速度を決定するようにさらにプログラムされている、請求項１２に記載の体外式除細動器。
【請求項１７】
コントローラは、現行の胸部圧迫サイクルの終了時までに残っていると判定された時間量に基づいて、暫定的電気貯蔵デバイスの充電のための充電速度を決定するようにさらにプログラムされている、請求項１２に記載の体外式除細動器。
【請求項１８】
コントローラは、１つ以上の生理的に生成される信号に基づいて、暫定的電気貯蔵デバイスの充電のための総電荷量を決定するようにさらにプログラムされている、請求項１２に記載の体外式除細動器。
【請求項１９】
コントローラは、
振幅マグニチュードスペクトル面積（ＡＭＳＡ）の値を計算することにより１つ以上の生理的に生成される信号を分析し、
計算されたＡＭＳＡ値に基づいて暫定的電気貯蔵デバイスを選択的に充電するように、さらにプログラムされている、請求項１２に記載の体外式除細動器。
【請求項２０】
コントローラは、
振幅マグニチュードスペクトル面積（ＡＭＳＡ）の値を計算することにより１つ以上のＥＣＧ信号を分析し、
計算されたＡＭＳＡ値に基づいた充電速度で暫定的電気貯蔵デバイスを選択的に充電するように、
さらにプログラムされている、請求項１２に記載の体外式除細動器。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
長手解剖学的構造を他の解剖学的構造と再接続するための装置であって、
第１の修復装置と、
空洞を有するチューブを含むカテーテルとを含み、
前記第１の修復装置は、第１の長手端部と第２の長手端部とを有する第１のフィラメントと、前記第１の端部に取り付けられる第１の針及び前記第２の端部に取り付けられる第２の針とを少なくとも有する、
装置。
【請求項２】
当該装置は、漏斗部材を更に含み、該漏斗部材は、解剖学的通路への入口に隣接した配置のためのより小さい長手端部と、より大きい長手端部とを有する、請求項１に記載の装置。
【請求項３】
前記漏斗部材は完全な切頭円錐形の表面を形成せず、前記長手解剖学的構造を横から挿入するために前記表面に横向き開口部を含む、請求項２に記載の装置。
【請求項４】
前記カテーテルの外径は一端から他端に増大する、請求項１に記載の装置。
【請求項５】
当該装置は、解剖学的通路を通過するための細長い案内部材を更に含み、前記空洞は、前記拡張カテーテルが前記案内部材の上を摺動し得るよう、前記案内部材を前記空洞を通じて受け入れるのに十分な大きさ及び形状である、請求項４に記載の装置。
【請求項６】
前記カテーテルは、第１のカテーテルを含み、該第１のカテーテルは、前記第１の修復装置が通過するようにされた中空チューブを含み、且つ第１の端部と第２の端部とを有し、該第２の端部は、傾斜付けられた端部である、請求項１に記載の装置。
【請求項７】
前記カテーテルの前記第２の傾斜付けられた端部は折り畳まれ得るものである、請求項６に記載の装置。
【請求項８】
当該装置は、ボーンアンカーを含む第２の修復装置を更に含み、前記ボーンアンカーは、前記ボーンアンカーを骨に固定的に接続するための遠位端部と、近位端部とを含み、該近位端部は、該近位端部から延びる少なくとも１つのフィラメントを有する、請求項７に記載の装置。
【請求項９】
当該装置は、前記少なくとも１つのフィラメントの前記第２の針を少なくとも取り囲む鞘を更に含む、請求項１に記載の装置。
【請求項１０】
当該装置は、前記第１のフィラメントの各々の少なくとも一部を取り囲む鞘を更に含む、請求項１に記載の装置。
【請求項１１】
長手解剖学的構造を他の解剖学的構造と再接続するための装置であって、
第１の解剖学的構造への取り付けのための第１の修復装置と、
第２の解剖学的構造への取り付けのための第２の修復装置と、
クリンプと、
空洞を有するチューブを含むカテーテルとを含み、
前記第１の修復装置は、第１の長手端部と第２の長手端部とを有する第１のフィラメントと、前記第１の端部に取り付けられる第１の針とを少なくとも有し、
前記第２の修復装置は、第１の長手端部と第２の長手端部とを有する第１のフィラメントと、前記第１の端部に取り付けられる第１の針とを少なくとも有する、
装置。
【請求項１２】
前記第１の修復装置は、前記第２の長手端部に取り付けられる第２の針を有する、請求項１１に記載の装置。
【請求項１３】
前記第２の修復装置は、前記第２の長手端部に取り付けられる第２の針を有する、請求項１１に記載の装置。
【請求項１４】
前記第２の修復装置は、ボーンアンカーであり、該ボーンアンカーは、該ボーンアンカーを骨に固定的に取り付けるための遠位端と、近位端とを有し、該近位端は、該近位端から延びる少なくとも１つのフィラメントを有し、針が前記近位端に取り付けられる、請求項１１に記載の装置。
【請求項１５】
前記カテーテルの外径は、一端から他端に増大する、請求項１１に記載の装置。
【請求項１６】
当該装置は、前記少なくとも１つのフィラメントの前記第２の針を少なくとも取り囲む鞘を更に含む、請求項１２に記載の装置。
【請求項１７】
当該装置は、前記第１及び第２の修復装置の前記フィラメントの各々のフィラメントの少なくとも一部を取り囲む鞘を更に含む、請求項１１に記載の装置。
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
体外式除細動器を使用するための方法において、
患者に対して行なわれた胸部圧迫に関するデータを取得することと、
複数回の胸部圧迫の深さおよび速度に関する値を測定することと、
深さおよび速度に関して測定された値の出力表示を除細動器のグラフィックディスプレイスクリーン上に表示することと
を含んでなる方法。
【請求項２】
深さおよび速度に関する値の測定は、深さについては距離の観点での数値を、また速度については１分間あたりの圧迫数を測定することを含んでなり、深さおよび速度に関して測定された値の出力表示の表示は、測定された数値に相当する番号を表示することを含んでなり、前記方法は、測定された値の出力表示に隣接して、胸部圧迫が適切に行なわれているかどうかを示すアイコンを表示することをさらに含んでなる、請求項１に記載の方法。
【請求項３】
アイコンの色は、胸部圧迫が適切に行なわれているか不適切に行なわれているかに基づいて変化する、請求項２に記載の方法。
【請求項４】
患者の心臓の活動に関する情報を受信すること、ならびに、患者の心電図を、深さおよび速度に関して測定された値と共に、グラフィックディスプレイに表示することと、
フィルタリングされていない心電図を表示することと、胸部圧迫が患者について開始されたことを感知することと、続いてフィルタリングされた心電図を表示することと、をさらに含んでなる、請求項１に記載の方法。
【請求項５】
患者からの第２のデータを心電図と協調させて表示することと、
胸部圧迫が患者について開始されたことの感知に呼応して第２のデータの供給源を変更することとをさらに含んでなる、請求項１に記載の方法。
【請求項６】
胸部圧迫の計測値は棒グラフの形で表示され、棒グラフにおける棒の長さは圧迫の深さを表わし、棒グラフにおける棒の間隔は圧迫速度を表わし、前記棒グラフとともに標準的な深さおよび速度のインジケータを表示する、請求項５に記載の方法。
【請求項７】
患者に対して行なわれた胸部圧迫に関するデータの取得は、患者の胸骨と協調して動くように配置された加速度計から計測値を取得することと、
深さに関する値の決定は、加速度計の計測値を二重積分することとをさらに含んでなる、請求項１に記載の方法。
【請求項８】
体外式除細動器であって、
患者と接触して該患者に対して行なわれた胸部圧迫に関する計測値を取得するように配置構成された１つ以上のセンサと、
患者および除細動器の状態に関するグラフ表示を救護者に表示するためのビデオディスプレイスクリーンと、
患者に対して行なわれかつセンサによって感知された胸部圧迫の深さおよび速度の値を測定し、深さおよび速度に関して測定された値の出力表示をビデオディスプレイスクリーンに表示させるためのコンピュータ命令を格納するメモリに接続されたプロセッサと
を含んでなる、体外式除細動器。
【請求項９】
深さおよび速度に関する値の測定するための前記コンピュータ命令は、深さについては距離の観点での数値を、また速度については１分間あたりの圧迫数を測定するためのコンピュータ命令を含んでなり、深さおよび速度に関して測定された値の出力表示の表示は、測定された数値に相当する番号を表示し、およびビデオディスプレイスクリーンに、測定された値の出力表示に隣接して、胸部圧迫が適切に行なわれているかどうかを示すアイコンを表示させることを含んでなる、請求項８に記載の体外式除細動器。
【請求項１０】
アイコンの色は、胸部圧迫が適切に行なわれているか不適切に行なわれているかに基づいて変化する、請求項９に記載の体外式除細動器。
【請求項１１】
患者の心臓の活動に関する情報の受信に応答して、深さおよび速度に関して測定された値とともに該患者の心電図をビデオディスプレイスクリーン上へ表示させるための命令がさらに提供される、請求項８に記載の体外式除細動器。
【請求項１２】
フィルタリングされていない心電図のビデオディスプレイスクリーン上への表示、およびその後の、胸部圧迫が患者において開始されたことの感知時の、フィルタリングされた心電図の表示、をもたらす命令がさらに提供される、請求項１１に記載の体外式除細動器。
【請求項１３】
心電図のトレースの上に、圧迫アーチファクトを示しているフィルタリングされていない部分を、別のフィルタリングされていない部分とフィルタリングされた部分との間に、一時的に表示する命令がさらに提供される、請求項１２に記載の体外式除細動器。
【請求項１４】
患者からの第２のデータを心電図と協調させて表示し、および
胸部圧迫が患者において開始されたことの感知に応答して第２のデータの供給源を変更する命令がさらに提供される、請求項８に記載の体外式除細動器。
【請求項１５】
前記第２のデータの供給源を変更する命令は、ＳＰＯ２からＣＯ２に変更する命令を含んでなる、請求項１４に記載の体外式除細動器。
【請求項１６】
前記第２のデータの供給源を変更する命令は、患者の化学的計測値から胸部圧迫の計測値に変更する命令を含んでなる、請求項１４に記載の体外式除細動器。
【請求項１７】
胸部圧迫の計測値は棒グラフの形で表示され、棒グラフにおける棒の長さは圧迫の深さ
を表わし、棒グラフにおける棒の間隔は圧迫速度を表わす、請求項１６に記載の体外式除細動器。
【請求項１８】
棒グラフを用いて標準的な深さおよび速度のインジケータを表示する命令がさらに提供される、請求項１７に記載の体外式除細動器。
【請求項１９】
胸部圧迫に関する前記データを取得するための加速度計をさらに備え、前記加速度計は、患者の胸骨と協調して動くように配置される、請求項８に記載の体外式除細動器。
【請求項２０】
１つ以上のセンサはハウジングに取り付けられた加速度計を含んでなり、次いで該ハウジングは患者に設置されるべき一対の除細動器電極に取り付けられている、請求項８に記載の体外式除細動器。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
第１コーヒー豆包装カートリッジとコーヒー抽出装置を含んでいるコーヒー飲料システムであって、該第１コーヒー豆包装カートリッジは該コーヒー抽出装置へ取り外し可能に接続されることができ、該第１コーヒー豆包装カートリッジは多数回分のコーヒー豆を保持し供給するように配設され、該第１コーヒー豆包装カートリッジは、
内部容積部とコーヒー豆の出口を画定する少なくとも１つの出口開口部とを備えている容器、ここで該内部容積部はコーヒー豆を保持する、
該内部容積部から該第１カートリッジの該出口開口へコーヒー豆の搬送を可能にするように適合された搬送手段、
ここで、該コーヒー装置は、該搬送手段によって該第１カートリッジの該出口開口の方へ搬送されたコーヒー豆を受け取るための入口開口部、該入口開口部を介して該コーヒー抽出装置へ入ったコーヒー豆を挽くためのグラインダー、および該グラインダーによって得られた挽かれたコーヒーを基にコーヒーを抽出するための抽出デバイスを備えている、ここで、該第１カートリッジの該搬送手段は、前記搬送手段が駆動されると、該第１カートリッジの出口開口部の方へコーヒー豆を搬送するために、該第１カートリッジの本体に相対的に移動しうるところの１部品を備えている、
を含んでいるところのコーヒー飲料システムにおいて、
該コーヒー抽出装置は、モータおよび垂直に延在している駆動シャフトを有し、ここで、前記駆動シャフトは、該第１カートリッジの該出口開口部の方へコーヒー豆を搬送するために、該モータ手段による該駆動シャフトの回転があると該第１カートリッジの該搬送手段を駆動しそれにより動かすために、該第１カートリッジの該搬送手段と解放可能に接続されている、ここで、もし該駆動シャフトが該搬送手段と接続されると、該駆動シャフトの第１の所定数の回転の後、該第１カートリッジの該搬送手段は、該出口開口の方へ該コーヒー豆を搬送する動作が自動的に不可能にされるように、該第１カートリッジは配設されており、かつ該システムはさらに、該コーヒー抽出装置へ同じく取り外し可能に接続されうるところの第２コーヒー豆カートリッジを有しており、該第２コーヒー豆カートリッジは、多数回分のコーヒー豆を充填され、保持しおよび供給するように配設され、該第２コーヒー豆カートリッジは、
内部容積部とコーヒー豆の出口を画定している少なくとも１つの出口開口部とを備えている容器、ここで該内部容積部はコーヒー豆を保持するように配設されている、
該内部容積部から該第２カートリッジの該出口開口部へコーヒー豆の搬送を可能にするように適合された搬送手段、
を含んでおり、
ここで、もし該第２カートリッジが該コーヒー装置へ接続されると、該第２カートリッジの該搬送手段によって該第２カートリッジの該出口開口の方へ搬送されるところのコーヒー豆が、コーヒーを調製するための該入口開口を介して該コーヒー装置によって受け取られうるように、該第２カートリッジは該コーヒー装置へ適合されている、かつ、ここで、該第２カートリッジの該搬送手段が、該駆動シャフトの或る所定の数の回転があっても不能にされず、該駆動シャフトの第２所定の数の回転の後にのみ不能にされるように、該第２カートリッジは配設されている、ここで、回転の第２所定の数は、回転の第１所定の数よりも大きい、ことを特徴とする、上記システム。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
コーヒー豆包装カートリッジとコーヒー抽出装置とを含んでいるコーヒー飲料システムであって、該コーヒー豆包装カートリッジは該コーヒー抽出装置へ取り外し可能に接続されることができ、該コーヒー豆包装カートリッジは複数回分のコーヒー豆を保持し供給するように配設され、該コーヒー豆包装カートリッジは、
内部容積部とコーヒー豆の出口を画定する少なくとも１つの出口開口部とを備えている容器、ここで該内部容積部はコーヒー豆を保持する、
該内部容積部から該カートリッジの該出口開口部へコーヒー豆の搬送を可能にするように適合された搬送手段、
を含んでおり、
該コーヒー抽出装置は、該搬送手段によって該出口開口の方へ搬送されたコーヒー豆を受け取るための入口開口部、該入口開口部を介して該コーヒー抽出装置へ入ったコーヒー豆を挽くためのグラインダー、および該グラインダーによって得られた挽かれたコーヒーを基にコーヒーを抽出するための抽出デバイスを備えており、該システムはさらに、該搬送手段によって計量チャンバー内へ搬送されたコーヒー豆を受け取るための該計量チャンバーを有し、該計量チャンバーは、該グラインダーの１部分を形成するところの底部分を備え、前記底部分は、垂直方向に延在している第１軸の周りを回転するように該コーヒー抽出装置内に配設され、該システムは、該グラインダーが起動されると、該底部分は、コーヒー豆を該計量チャンバーから該グラインダー内へ搬送するために且つコーヒー豆を挽くために該垂直軸の周りを回転するように配設されている、上記システム。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
コーヒー調製器具及び第一のコーヒー豆包装カートリッジを有するコーヒー飲料装置であって、ここで前記第一のコーヒー豆包装カートリッジは前記コーヒー調製器具に取外し可能に接続され、前記第一のコーヒー豆包装カートリッジはコーヒー豆を保持しかつ供給するようにされていて、前記第一のコーヒー豆包装カートリッジは、
コーヒー豆を保持する内部容積とコーヒー豆出口を画定する少なくとも１つの流出孔とを有する容器、
前記内部容積から前記第一のコーヒー豆包装カートリッジの流出孔に向けて前記コーヒー豆を移送できるようにされた移送手段、を有し、
ここで、前記コーヒー調製器具は、前記移送手段により前記流出孔に向けて移送されるコーヒー豆を受けとるための流入孔を有し、前記流入孔を介して前記コーヒー器具に入ったコーヒー豆を粉砕するためのグラインダー、及び前記グラインダーによって得られた挽いたコーヒーに基づいてコーヒーを調製するための調製デバイスを有し、ここで、前記装置は、更に、前記移送手段により移送されるコーヒー豆を受け入れるための計量室を備えていて、ここで、前記計量室は前記グラインダーの一部を形成する基部部分を有し、前記基部部分は前記コーヒー調製器具内で垂直方向に延在する第一軸の周りを回転するようにされていて、ここで、前記装置は、前記グラインダーを作動したときに、コーヒー豆を前記計量室から前記グラインダーに移送させ、そしてコーヒー豆を粉砕するために前記基部部分が前記垂直軸の周りを回転するようにされているものであって、前記装置は前記第一のコーヒー豆包装カートリッジから前記グラインダーへ所定の注入分のコーヒー豆を用意しかつ供給する第一注入デバイスを有し、前記第一のコーヒー豆包装カートリッジが前記コーヒー調製器具に接続される又は接続されているときに、前記第一注入デバイスは少なくともその一部が前記コーヒー調製器具によって形成され、かつ前記装置の前記計量室を有するであって、前記装置が更に第二のコーヒー豆包装カートリッジを備えられ、前記第二のコーヒー豆包装カートリッジはコーヒー豆を保持しかつ供給し、並びに好ましくは前記コーヒー調製器具に取り外し可能にも接続されるようにされ、前記第二のコーヒー豆包装カートリッジは前記調製器具及び前記第一のコーヒー豆包装カートリッジの前記第一注入デバイスとは別の第二注入デバイスを有し、前記第二のコーヒー豆包装カートリッジが前記コーヒー調製器具に接続されると、前記第一注入デバイスとは無関係に好ましくは１注入分のコーヒー豆を用意し及び／又は１注入分のコーヒー豆を前記コーヒー調製器具の流入孔に供給することを特徴とする装置。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
コーヒー調製器具及びコーヒー豆包装カートリッジを有するコーヒー飲料装置であって、ここで前記コーヒー豆包装カートリッジは前記コーヒー調製器具に取外し可能に接続され、前記コーヒー豆包装カートリッジは複数杯のコーヒー豆を保持しかつ供給するようにされていて、前記コーヒー豆包装カートリッジは、
コーヒー豆を保持する内部容積とコーヒー豆出口を画定する少なくとも１つの流出孔とを有する容器、
前記内部容積から前記カートリッジの前記流出孔に向けて前記コーヒー豆を移送できるようにされた移送手段、を有し、
ここで、前記コーヒー調製器具は、前記移送手段により前記流出孔に向けて移送されるコーヒー豆を受けとるための流入孔を有し、前記流入孔を介して前記コーヒー器具に入ったコーヒー豆を粉砕するためのグラインダー、及び前記グラインダーによって得られた挽いたコーヒーに基づいてコーヒーを調製するための調製デバイスを有し、ここで、前記装置は、更に、前記移送手段により計量室に移送されるコーヒー豆を受けるための前記計量室を備え、前記計量室はグラインダーの一部を形成する基部部分を有し、前記基部部分は前記コーヒー調製器具内で垂直方向に延在する第一軸の周りを回転するようにされていて、ここで、前記装置は、前記グラインダーを作動したときに、コーヒー豆を前記計量室から前記グラインダーに移送させ、そしてコーヒー豆を挽くために前記基部部分が前記垂直軸の周りを回転するようにされているものであって、
前記装置は更に挽いたコーヒー包装カートリッジを備え、前記挽いたコーヒー包装カートリッジも前記コーヒー調製器具に取外し可能に取り付けることができ、かつ、好ましくは、前記流入孔を介して前記コーヒー調製器具に挽いたコーヒーを供給するようにされていることを特徴とする、コーヒー飲料装置。
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
固定用量注射デバイス（１）であって：
ａ．ハウジング（３）；並びに
ｂ．ｉ．薬剤の事前決定された固定用量に対応する角度αで互いにオフセットされる少なくとも二つの歯（１１）を有し、ハウジング内において軸方向に固定される、回転可能ギヤ（１０）；
ii．用量の送達中、遠位方向に事前決定された固定用量に対応する距離を動くように、角度αに適合するピッチβを有する回転可能ギヤとねじ係合されるプランジャ（７）；
iii．駆動シャフトがαより小さな角度で回転させられた場合、トーションばねが駆動シャフトをゼロ位置まで逆方向に回転させる、該トーションばね（１８）及び駆動シャフト（９）；
iv．トリガが起動したとき、トーションばねが巻き戻り、そして回転可能ギヤを角度α回転させ、そしてプランジャを遠位方向に動かして事前決定された固定用量を送達するように、回転可能なギヤに連結される、該トリガ（６）；及び
ｖ．駆動シャフト（９）の回転を制限し、回転可能なギアの歯の１つより多くを超える回転を阻止する、回転停止部；
を含んでなる用量設定・注射アセンブリ；
の組合せを含んでなる、上記注射デバイス。
【請求項２】
薬剤ハウジング（４）がハウジング（３）に連結され、そして薬剤（２３）のカートリッジを保持する、請求項１に記載の注射デバイス。
【請求項３】
角度αが２０度〜１８０度である、請求項１又は２に記載の注射デバイス。
【請求項４】
α／βの比が１０〜２０度／ｍｍの範囲内である、請求項１〜３のいずれか１項に記載の注射デバイス。
【請求項５】
プランジャ（７）上のねじ山のピッチβが、１.５ｍｍ〜１２ｍｍである、請求項１〜４のいずれか１項に記載の注射デバイス。
【請求項６】
駆動シャフトが、用量の設定中、歯（１１）の一つと係合するラチェットアーム（１２）を含む、請求項１〜５のいずれか１項に記載の注射デバイス。
【請求項７】
駆動シャフトが、用量の設定中、歯の一つと係合するように構成されるラチェットアーム（１２）を含む、請求項１〜６のいずれか１項に記載の注射デバイス。
【請求項８】
固定用量調節注射デバイス（１）であって：
ａ．ハウジング（３）；並びに
ｂ．ｉ．薬物の事前決定された固定用量に対応する角度αで互いにオフセットする少なくとも第一、第二、及び第三の歯（１１）を有し、ハウジング内において軸方向に固定される、回転可能ギヤ（１０）、；
ii．用量の設定中、第一、第二、又は第三の歯のいずれかと係合するように構成されるラチェットアーム（１２）を有する駆動シャフト（９）；
iii．プランジャが、用量の送達中、一つ又はそれ以上の複数の事前決定された固定用量に対応する距離を遠位方向に動くように、角度αに適合するピッチβを有する回転可能ギヤとねじ係合されるプランジャ（７）；
iv．用量が２つの固定調節用量の間にダイヤルされた場合、ラチェットアームが次のより少ない用量に対応する次のギア歯で係合するまで、トーションばねが駆動シャフトを逆方向に回転させる、該トーションばね（１８）；
ｖ．トリガが起動したとき、トーションばねが巻き戻り、そして回転可能ギヤを一つ又は複数の角度α回転させ、そしてプランジャを遠位方向に動かして一つ又はそれ以上の事前決定された固定用量を送達するように、回転可能ギヤに連結される、該トリガ；及び
vi．駆動シャフト（９）の回転を制限し、回転可能なギアの歯の制限された数より多くの回転を防止する、回転停止部；
を含んでなる用量設定・注射アセンブリ；
の組合せを含んでなるデバイス。
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
医療用液体を収容する容器用のクロージャーキャップ（１）であって、
医療用液体を注入する第１のコネクタ（２）と、医療用液体を抜き取る第２のコネクタ（３）とを備え、前記第１のコネクタ（２）は、連結されるべき第１の装置（２８、２９）の円錐状ステム（２６）を、シールを形成するように収容する円錐状のくぼみ部（８）を有する、外向きの第１のコネクタ部（４）を有し、前記第２のコネクタ（３）は、連結されるべき第２の装置の円錐状ステムを、シールを形成するように収容する円錐状のくぼみ部（９）を有する、外向きの第２のコネクタ部（５）を有し、
前記第１のコネクタ（２）は、第１のメンブレン（６）と第１の穿孔要素（７）とを有し、前記第１のメンブレン（６）は、前記第１のコネクタ部（４）の前記円錐状のくぼみ部（８）と前記穿孔要素（７）との間に配置され、それにより、前記第１の装置を連結することによって、前記第１のメンブレン（６）が前記第１の穿孔要素に（７）対して押し当たって該第１の穿孔要素（７）によって穿孔され、ならびに／あるいは、
前記第２のコネクタ（３）は、第２のメンブレン（１０）と第２の穿孔要素（１１）とを有し、前記第２のメンブレン（１０）は、前記第２のコネクタ部（５）の前記円錐状のくぼみ部（９）と前記第２の穿孔要素（１１）との間に配置され、それにより、前記第２の装置を連結することによって、前記第２のメンブレン（１０）が前記第２の穿孔要素（１１）に対して押し当たって該第２の穿孔要素（１１）によって穿孔され、ならびに、
前記第１の穿孔要素（７）は先端（１２）を有する中空体として設計され、及び／又は、前記第２の穿孔要素（１１）は先端（１２）を有する中空体として設計される、
医療用液体を収容する容器用のクロージャーキャップ。
【請求項２】
クロージャーキャップ（１）であって、前記第１のコネクタ部（４）及び／又は前記第２のコネクタ部（５）は、ルアーコネクタとして設計される、請求項１に記載のクロージャーキャップ。
【請求項３】
クロージャーキャップ（１）であって、前記第１のメンブレン（６）及び／又は前記第２のメンブレン（１０）にはスリットが入っている、請求項１または２に記載のクロージャーキャップ。
【請求項４】
クロージャーキャップ（１）であって、前記第１のコネクタ（２）は、前記第１のメンブレン（６）と前記第１の穿孔要素（７）とが挿入される第１のソケット（１３）を有し、及び／又は、前記第２のコネクタ（３）は、前記第２のメンブレン（１０）と前記第２の穿孔要素（１１）とが挿入される第２のソケット（１４）を有する、請求項１〜３のいずれか１項に記載のクロージャーキャップ。
【請求項５】
クロージャーキャップ（１）であって、前記第１のコネクタ（２）は第１のフランジ（１５）を有し、該第１のフランジ（１５）によって前記第１のメンブレン（６）と前記第１の穿孔要素（７）とが、前記第１のソケット（１３）内で確実に固定され、及び／又は、前記第２のコネクタ（３）は第２のフランジ（１６）を有し、該第２のフランジ（１６）によって前記第２のメンブレン（１０）と前記第２の穿孔要素（１１）とが、前記第２のソケット（１４）内で確実に固定される、請求項４に記載のクロージャーキャップ。
【請求項６】
クロージャーキャップ（１）であって、前記第１のコネクタ（２）に連結され、該第１のコネクタ（２）を液密に閉鎖する第１の破断部（１７）及び／又は前記第２のコネクタ（３）に連結され、該第２のコネクタ（３）を液密に閉鎖する第２の破断部（１８）を付加的に備える、請求項１〜５のいずれか１項に記載のクロージャーキャップ。
【請求項７】
クロージャーキャップ（１）であって、カバー領域（１９）とリム領域（２０）とを付加的に備え、前記第１のコネクタ（２）と前記第２のコネクタ（３）とは、前記カバー領域（２０）内に配置される、請求項１〜６のいずれか１項に記載のクロージャーキャップ。
【請求項８】
クロージャーキャップ（１）であって、前記第１のコネクタ（２）と前記第２のコネクタ（３）とは、一体部品として設計される、請求項１〜７のいずれか１項に記載のクロージャーキャップ。
【請求項９】
請求項１〜８のいずれか１項に記載のクロージャーキャップ（１）を備える、医療用液体用の容器。
【請求項１０】
前記容器はボトルとして設計される、請求項９に記載の容器。
【手続補正書】
【提出日】平成26年1月31日(2014.1.31)
【手続補正１】
【補正対象書類名】特許請求の範囲
【補正対象項目名】請求項３
【補正方法】変更
【補正の内容】
【請求項３】
1つ以上の特徴が、皮下ベース部分の外表面上に提供される1つ以上の突出を含み、該1つ以上の突出により、該デバイスが押し込み適合作用により相補的な陥凹内に固定されることが可能になる、請求項１または２記載のデバイス。
【手続補正２】
【補正対象書類名】特許請求の範囲
【補正対象項目名】請求項４
【補正方法】変更
【補正の内容】
【請求項４】
皮下ベース部分が、粗い表面および骨一体化を促進するコーティングの少なくとも1つを含む、請求項１〜３いずれか記載のデバイス。
【手続補正３】
【補正対象書類名】特許請求の範囲
【補正対象項目名】請求項５
【補正方法】変更
【補正の内容】
【請求項５】
皮下ベース部分が、骨内に形成された陥凹の周縁部の周りの骨の外表面とかみ合うための突出したへりを含む、請求項１〜４いずれか記載のデバイス。
【手続補正４】
【補正対象書類名】特許請求の範囲
【補正対象項目名】請求項６
【補正方法】変更
【補正の内容】
【請求項６】
皮下ベース部分が、経皮部分に取り付け可能な第1のパートおよび該第1のパートから突出する伸長区画を含み、該デバイスが体内に埋め込まれた場合、該伸長区画の全体が骨内に形成された陥凹内に配置される、請求項１〜５いずれか記載のデバイス。
【手続補正５】
【補正対象書類名】特許請求の範囲
【補正対象項目名】請求項９
【補正方法】変更
【補正の内容】
【請求項９】
2つ以上のポートを含む、請求項１〜８いずれか記載のデバイス。
【手続補正６】
【補正対象書類名】特許請求の範囲
【補正対象項目名】請求項１０
【補正方法】変更
【補正の内容】
【請求項１０】
細菌フィルターおよび空気排出口の少なくとも1つを含む、請求項１〜９いずれか記載のデバイス。
【手続補正７】
【補正対象書類名】特許請求の範囲
【補正対象項目名】請求項１１
【補正方法】変更
【補正の内容】
【請求項１１】
皮下ベース部分が、少なくとも1つの遠くに埋め込まれたポンプからの流体を受けるための少なくとも1つの皮下流体流入口を含み、少なくとも1つの皮下流体流入口で受けられた流体が、1つ以上のポートにルート決定可能である、請求項１〜１０いずれか記載のデバイス。
【手続補正８】
【補正対象書類名】特許請求の範囲
【補正対象項目名】請求項１２
【補正方法】変更
【補正の内容】
【請求項１２】
経皮部分の少なくとも一部が、組織が内に伸びることを促進する周囲表面を含む、請求項１〜１１いずれか記載のデバイス。
【手続補正９】
【補正対象書類名】特許請求の範囲
【補正対象項目名】請求項１３
【補正方法】変更
【補正の内容】
【請求項１３】
請求項１〜１２いずれか記載の埋め込み可能経皮流体送達デバイス、
1つ以上のルーメンを有する供給チューブ、
流体を1つ以上の流出口へとルート決定するための、1つ以上の流入口を有する埋め込み可能ルーターユニット、および
1つ以上の実質内カテーテルデバイス
を含む神経学的装置であって、
該経皮流体送達デバイスの1つ以上のポートは、該供給チューブを介して該ルーターユニットの1つ以上の流入口に連結され、該1つ以上の実質内カテーテルデバイスは、該埋め込み可能ルーターユニットの1つ以上の流出口に連結される、神経学的装置。
【手続補正１０】
【補正対象書類名】特許請求の範囲
【補正対象項目名】請求項１５
【補正方法】変更
【補正の内容】
【請求項１５】
経皮流体送達デバイスの皮下ベース部分が適合され得る骨内の陥凹を切断するための鋳型を提供する、請求項１〜１２いずれか記載の経皮流体送達デバイスを埋め込むためのジグ。